(57)【要約】【課題】  集合写真の作成においては、再撮影の必要がなく、顔画像の誤使用のない、省力化されたプリント方法を得ること。【解決手段】  記録した動画又は静止画から画像を選択し、１枚のプリント上に複数の画像が配置されるプリントの作成において、選択された複数の前記画像を配置する工程を有し、動画内に記録された情報又は動画記録時に収集した情報に基づいて、画像を配置するプリント方法とする。【選択図】        図５
2005354152.tif 000002
【特許請求の範囲】
【請求項１】
記録した動画又は前記動画に関連づけて記録された静止画から所望の画像を選択し、１枚のプリント上に選択された前記画像の配置されたプリントを作成するプリント方法において、
選択された前記画像を配置する工程を有し、該工程では、前記動画内に記録され、選択された画像と対応づけられた情報、又は前記動画記録時に収集され、選択された画像と対応づけられた情報に基づいて、前記画像を配置することを特徴とするプリント方法。
【請求項２】
記録した動画又は前記動画に関連づけて記録された静止画から画像を選択し、選択された前記画像をプリントするプリント方法において、
前記動画内に記録され、選択された画像と対応づけられた情報、又は前記動画記録時に収集され、選択された画像と対応づけられた情報に基づいて、
前記画像が本人のものであることを認証する工程、を有することを特徴とするプリント方法。
【請求項３】
前記情報は、前記動画内に記録されたＩＤ番号であることことを特徴とする請求項１又は２に記載のプリント方法。
【請求項４】
前記情報は、前記動画内に記録又は前記動画記録時に収集したバイオメトリクス情報であることを特徴とする請求項１又は２に記載のプリント方法。
【請求項５】
前記情報は、前記動画記録時に人物が保持している無線タグであることを特徴とする請求項１又は２に記載のプリント方法。
【発明の詳細な説明】
【技術分野】
【０００１】
本発明は、動画又は静止画から所望の画像を選択し、プリントを作成するプリント方法に関するものである。
【背景技術】
【０００２】
従来より、学生証、社員証等の身分証明用のカードでは、本人の顔写真がプリントされたものが一般的である。また、集合写真等の団体撮影においては、複数枚の駒の撮影を行い、この中から適切な１駒を使用してプリントする方法が用いられている。
【０００３】
この集合写真においては、複数枚の駒に適切な１駒が含まれていない場合には、再撮影となり、個人の撮影に比べ多大な労力が必要になる。このような問題に対し、撮影画像中の被撮影者の表情を評価手段により評価し、各被撮影者の最も高く評価された顔画像を抽出し、１枚の静止画像として合成する顔画像合成手段を備えた画像評価装置が開示されている（例えば、特許文献１参照）。
【０００４】
また、撮影した動画像から顔画像、全身画像を抽出し、全身画像から求めた身長や、正面を向いた顔画像などの検索情報を記録媒体の画像と関連づけてデータベースに記録し、検索時に顔画像の静止画をサムネイル表示して、活用する監視記録装置が開示されている（例えば、特許文献２参照）。
【特許文献１】特開２００４−４６５９１号公報
【特許文献２】特開２００３−４６９１１号公報
【発明の開示】
【発明が解決しようとする課題】
【０００５】
上記の、集合写真、例えば学校等でクラス別の座席表等を作成して使用するような場合、毎年変更があり、この都度、団体撮影をおこなうには、多大な労力と費用が発生する。この場合、上記特許文献１のような方法では、異なる人物の画像を誤って使用してしまう可能性がある。
【０００６】
一方、身分証明用のカードにおいては、プリント上での顔の大きさ、表情、眼鏡の有無等、良好な顔写真とするには種々の課題があり、適切な撮影ができなかった場合には、再撮影となってしまう。このような場合には、上記特許文献１及び２の方法では対処できない。また、カード発行時や、再発行時に再撮影をせず、前回使用した顔画像を用いる場合には、異なる人物の画像を誤って使用してしまう可能性もある。
【０００７】
本発明は、上記問題に鑑み、集合写真の作成においては、再撮影の必要がなく、身分証明用写真等の顔画像の使用に際しては、顔画像の誤使用のない、省力化されたプリント方法を得ることを目的とするものである。
【課題を解決するための手段】
【０００８】
上記の課題は、以下のいずれかにより解決される。
【０００９】
１）  記録した動画又は前記動画に関連づけて記録された静止画から所望の画像を選択し、１枚のプリント上に選択された前記画像の配置されたプリントを作成するプリント方法において、選択された前記画像を配置する工程を有し、該工程では、前記動画内に記録され、選択された画像と対応づけられた情報、又は前記動画記録時に収集され、選択された画像と対応づけられた情報に基づいて、前記画像を配置することを特徴とするプリント方法。
【００１０】
２）  記録した動画又は前記動画に関連づけて記録された静止画から画像を選択し、選択された前記画像をプリントするプリント方法において、前記動画内に記録され、選択された画像と対応づけられた情報、又は前記動画記録時に収集され、選択された画像と対応づけられた情報に基づいて、前記画像が本人のものであることを認証する工程、を有することを特徴とするプリント方法。
【００１１】
３）  前記情報は、前記動画内に記録されたＩＤ番号である１）又は２）のプリント方法。
【００１２】
４）  前記情報は、前記動画内に記録又は前記動画記録時に収集したバイオメトリクス情報である１）又は２）のプリント方法。
【００１３】
５）  前記情報は、前記動画記録時に人物が保持している無線タグである１）又は２）のプリント方法。
【発明の効果】
【００１４】
上記１）の手段によれば、アルバムや座席表等のように、１枚のプリント上に複数の人物画像が配置されたプリントを作成する場合に、動画内に記録され、選択された画像と対応づけられた情報、又は動画記録時に収集され、選択された画像と対応づけられた情報に基づいて、所望の位置に選択された人物画像を配置することにより、誤った画像が配置されることがなく、変更する場合にも新規に集合して撮影する必要のない、省力化されたプリント方法を得ることが可能となる。
【００１５】
上記２）の手段によれば、身分証明用のカードの作成においては、再発行時でもプリントする顔画像に間違いがなく、再撮影の必要のない、省力化されたプリント方法を得ることが可能となる。
【発明を実施するための最良の形態】
【００１６】
以下、実施の形態により本発明を詳しく説明するが、本発明はこれに限定されるものではない。
【００１７】
（第一の実施の形態）
以下、本発明に係る第一の実施の形態について説明する。
【００１８】
図１は、本発明に係るプリント作成のための、撮影装置１０の概略構成の一例を示すブロック図である。
【００１９】
同図に示すように、撮影装置１０は、コントローラ１１によって撮影装置１０を構成する以下の各部が制御されるようになっている。
【００２０】
静止画入力ユニット１２及びフラッシュユニット１３は、コントローラ１１からの命令により、被撮影者２５の静止画撮影をおこなうものであり、市販のデジタルカメラ等でも適用可能である。動画入力ユニット１４及び音声入力ユニット１５は、コントローラ１１からの命令により、被撮影者２５が撮影位置に存在する間、動画撮影及び録音を続けることができるようになっており、市販のデジタルビデオカメラ等でも適用可能である。
【００２１】
音声出力ユニット１５は、被撮影者２５に対し各種の指示を音声でおこなうための出力するものである。バイオメトリクスセンサ１７は、被撮影者の生体情報の特徴データを収集するためのセンサであり、例えば指紋、顔、掌、虹彩、声紋、静脈等のセンサが対象に応じ適宜使用される。タグセンサ１８は、被撮影者２５の持っている無線タグからの情報を受信するセンサである。ディスプレイ１９は、動画入力ユニット１４及び静止画入力ユニット１２で撮影した被撮影者２５を表示したり、被撮影者２５が難聴等の障害を有する場合に被撮影者２５に対し各種の指示を文字や絵表示でおこなうためのものである。
【００２２】
動画入力ユニット１４及び静止画入力ユニット１２で撮影した被撮影者２５の画像データと、音声入力ユニット１５から入力される音声データは、コントローラ１１を介し、記録ユニット２０に記録保存される。また、記録ユニット２０は、コントローラ１１からの指示に基づき、これら画像にメタデータを付加して記録するものである。この画像データについての情報であるメタデータを、例えばＭＰＥＧ７の規格に基づいてインデックス情報として記述しておくことで、膨大なデータの中から目的の画像を的確に素早く検索することが可能となる。
【００２３】
なお、記録ユニット２０を撮影装置１０内に備えずに、ネットワークを介してデータベースに記録するよう構成しても良い。また、静止画入力ユニット１２及びフラッシュユニット１３は、動画入力ユニット１４から入力される動画から静止画を切り出して使用する場合には不要である。また、バイオメトリクスセンサ１７、タグセンサ１８、ディスプレイ１９は、必要に応じて適宜接続されるものである。
【００２４】
図２は、図１に示す撮影装置１０を用いた撮影手順概略の一例を示すフローチャートである。同図は、一人分の画像データを取得するための撮影手順を示しており、個人認証として動画内に記録されたＩＤ番号を用いる場合のものである。以下同図のフローに従い説明する。
【００２５】
同図において、動画入力ユニット１４から入力される画像をコントローラ１１が監視し、被撮影者が撮影範囲に入って来ると、まず撮影装置の音声出力ユニット１６より、例えば「着席してカメラにむいてください」との音声を発する（ステップＳ１０１）。被撮影者２５は椅子に着席し、例えば図示しない椅子に備えられたスイッチがＯＮされたことをコントローラ１１が検出すると、記録ユニット２０への動画記録が開始される。
【００２６】
コントローラ１１は、動画入力ユニット１４より入力される動画から、被撮影者２５がカメラに向かっているか、即ち正面を向いているかどうか判断する（ステップＳ１０２）。正面を向いていない場合（ステップＳ１０２；Ｎｏ）は、ステップＳ１０１へ戻り、音声出力ユニットより再度「着席してカメラにむいてください」との音声を発する。
【００２７】
正面を向いていると判断された場合（ステップＳ１０２；Ｙｅｓ）は、被撮影者２５の着席のインデックス情報を作成する（ステップＳ１０３）。なお、このインデックス情報は、例えばＭＰＥＧ７の規格に基づいてｘｍｌにより記述されることが好ましい。
【００２８】
次いで、音声出力ユニット１６より、例えば「カードを見せてください」との音声を発する（ステップＳ１０４）。コントローラ１１は、動画入力ユニット１４より入力される動画から、カードのＩＤ番号が判別可能か判断する（ステップＳ１０５）。カードのＩＤ番号が判別できない場合（ステップＳ１０５；Ｎｏ）は、ステップＳ１０４へ戻り、音声出力ユニット１６より、再度「カードを見せてください」との音声を発する。
【００２９】
カードのＩＤ番号が判別できる場合（ステップＳ１０５；Ｙｅｓ）は、カードＩＤ画像のインデックス情報を作成する（ステップＳ１０６）。
【００３０】
次いで、音声出力ユニット１６より、例えば「カード番号を読んでください」との音声を発し（ステップＳ１０７）、被撮影者２５に自分の持っているカードの番号を音読させる。コントローラ１１は、音声入力ユニット１５より入力される被撮影者２５の音声データから、カードのＩＤ番号と同じかどうか判断する（ステップＳ１０８）。被撮影者２５の音声データが、カードのＩＤ番号と異なる場合（ステップＳ１０８；Ｎｏ）は、ステップＳ１０７へ戻り、音声出力ユニット１６より、再度「カード番号を読んでください」との音声を発する。
【００３１】
被撮影者２５の音声データが、カードのＩＤ番号と同じ場合（ステップＳ１０８；Ｙｅｓ）は、カードＩＤ番号をデータとして記録し、インデックス情報を作成する（ステップＳ１０９）。次いで、被撮影者２５の読み上げ音声にインデックス情報を作成する（ステップＳ１１０）。
【００３２】
この後、音声出力ユニット１６より、例えば「撮影します」と音声を発し（ステップＳ１１１）、フラッシュユニット１３を発光させ、静止画像入力ユニット１２による、静止画撮影がおこなわれると共に、発光タイミング、即ち撮影時刻にインデックス情報を作成する（ステップＳ１１２）。
【００３３】
この後、コントローラ１１は、ステップＳ１１２で得た被撮影者２５の静止画像が所定の条件を満たした適正な画像かどうかを判断する（ステップＳ１１３）。この判断内容は、ＩＳＯ／ＩＥＣ１９７９４−５の判定基準に準拠したものであり、例えば、フォーカスはシャープでありブレの無いこと、カメラの正面を向いていること、スキントーンは自然であること、両目とも開いていること、目に髪がかかっていないこと、両肩が揃っていること、無地の明るい色の背景であること、影やテカリのないこと、眼鏡の反射がないこと、フレームが目にかかっていないこと、赤目のないこと、帽子なきこと、一人だけであること、口は閉じていること、等が判定される。被撮影者２５の静止画像が上述のような所定の条件を満たしていないと判断された場合（ステップＳ１１３；Ｎｏ）は、ステップＳ１１１、ステップＳ１１２を繰り返し、再撮影がおこなわれる。
【００３４】
被撮影者２５の静止画像が上述のような所定の条件を満たしていると判断された場合（ステップＳ１１３；Ｙｅｓ）は、この静止画像を記録ユニット２０へ記録すると共に、撮影終了のインデックス情報を作成する（ステップＳ１１４）。
【００３５】
次いで、音声出力ユニット１６より、例えば「立ち上がって、次の人をお呼び下さい」と音声を発し（ステップＳ１１５）、コントローラ１１は、動画入力ユニット１４より入力される動画から、被撮影者２５が退席したかどうか判断する（ステップＳ１１６）。退席していない場合（ステップＳ１１６；Ｎｏ）は、ステップＳ１１５へ戻り、再度「立ち上がって、次の人をお呼び下さい」と音声を発する。
【００３６】
動画入力ユニット１４より入力される動画から、被撮影者２５が退席したと判断された場合（ステップＳ１１６；Ｙｅｓ）は、記録ユニット２０への記録を終了し、次の撮影に備えて待機する。
【００３７】
以上が、一人分の撮影フローであり、順次これを繰り返し、必要とする全ての人の動画及び静止画像データが記録ユニット２０に格納される。
【００３８】
図３は、記録ユニット２０に格納されたインデックス情報を示す模式図である。同図に示すように、データ長、枚数等のヘッダに続き、１枚目の情報である、ＩＤ、イベント名、名前、撮影時刻、フレーム番号、静止画顔画像、フレーム開始ナンバ、フレーム終了ナンバ等が記述格納され、以下撮影した人数分の情報が格納される。
【００３９】
以上のようにして、記録ユニット２０に記録された画像データは、顔画像データベース化されデータベースに保存される。
【００４０】
なお、被撮影者２５が無線タグを持っている場合には、ステップＳ１０４で、音声出力ユニット１６より、例えば「カード番号を読んでください」との音声を発し、ステップＳ１０５で、タグセンサ１８から得られる番号と、音声入力ユニット１５から得た番号が同一であるかコントローラ１１で判断するよう構成してもよい。
【００４１】
図４は、記録ユニット２０内の記録メディアに記録された画像データを、データベース化する際のフローチャートの一例である。これは、ネットワークを介しＰＣ（パーソナルコンピュータ）とデータベース間及びプリンター間でおこなわれる。以下、同図のフローに従い説明する。
【００４２】
同図において、まずＰＣ側でメタデータをもとに、顔画像を検索する（ステップＳ２０１）。このメタデータは、例えば図２に示すフローで記録した画像の場合は、ステップＳ１０９でデータ記録したＩＤ番号のインデックス情報で検索し、このＩＤ番号に対応する静止画像が抽出される。
【００４３】
抽出された静止画像を、上述と同様にＩＳＯ／ＩＥＣ１９７９４−５の判定基準を満たした適正な画像かどうかを再度判断する（ステップＳ２０２）。これは、何らかの理由により画像データが変化させられていないかどうかを確認するためのものである。ここで、適正な画像でないと判断された場合（ステップＳ２０２；Ｎｏ）は、画像の修正がおこなわれ（ステップＳ２０３）、ステップＳ２０４へ移行する。
【００４４】
適正な画像であると判断された場合（ステップＳ２０２；Ｙｅｓ）は、顔画像として確定し（ステップＳ２０４）、電子透かし等の偽造防止処理をおこなう（ステップＳ２０５）。
【００４５】
この後、この顔画像の本人の特定や認証に利用可能なデータをメタデータから検索する（ステップＳ２０６）。ここでは、例えばバイオメトリクス情報や無線タグ情報等が含まれている場合には、これを利用可能なデータとして検索する。なお、バイオメトリクス情報や無線タグ情報等の取得方法については後述する。
【００４６】
次いで、上述のバイオメトリクス情報等を用いた特徴点抽出方法や、フォーマットがあって、データ形式等を変換する必要が有る場合にはデータ整形（データ変換）をおこなう（ステップＳ２０７）。
【００４７】
次いで、上述のようにして検索した、顔画像データ、本人の特定や認証に利用可能な認証データを暗号化する（ステップＳ２０８）。これは、データの真正性を保証するためのものであり、割り当てられた秘密鍵を使用して暗号化し、電子署名とすることが望ましい。この後、顔画像データ及び認証データと、ステップＳ２０８で暗号化した顔画像データ及び認証データ及び撮影基礎情報をデータベースに送信し（ステップＳ２０９）、一人分のデータベース化処理が終了する。
【００４８】
次いで、最後の画像であったか判断し（ステップＳ２１０）、最後の画像でない場合（ステップＳ２１０；Ｎｏ）は、メタデータをもとに次の顔画像の検索をおこない、上述と同様の動作がおこなわれる。最後の画像であった場合（ステップＳ２１０；Ｙｅｓ）は、終了する。
【００４９】
以上のようにして、記録ユニット２０に記録された画像を含むデータは、一人ずつ個別のデータとしてデータベースへ格納蓄積される。
【００５０】
これにより、データベースでは、一人ずつの、撮影ＩＤ番号データ、撮影条件や撮影日時等の撮影基本情報データ、氏名等の被写体基本情報データ、被写体顔画像データ、属性情報である被写体認証情報データが保存されることになる。
【００５１】
図５は、座席表プリント発行の手順を示すフローチャートの一例である。この動作は、ネットワークを介し、ＰＣと上述のデータベース間でおこなわれる。以下、同図のフローに従い説明する。
【００５２】
まずＰＣ側で座席表シートをデータベース側より取得する（ステップＳ３０１）。
【００５３】
図６は、取得された座席表シートの例を示す図である。
【００５４】
次いで、学校名、クラス名、列数、段数等を記入（ステップＳ３０２）すると、記入した列数と段数の座席表となる。この後、各座席位置に個人のＩＤ番号データを書き込む（ステップＳ３０３）。ここでは、ＩＤ番号データではなく、氏名等のデータベース内の個人の顔画像を特定できるデータであってもよい。
【００５５】
ＩＤ番号の書き込みが終了すると、このＩＤ番号の記入された座席表シートをデータベース側へ送信する（ステップＳ３０４）。データベース側はこれを受け、ＩＤ番号に対応する顔画像を検索し、顔画像を座席表内のＩＤ番号が記入された座席位置に配置する（ステップＳ３０５）。この動作を、記入された全てのＩＤ番号に対応しておこない、顔画像の配置が終了すると、できあがった顔画像の配置された座席表を、顔画像入り座席表としてＰＣ側へ送信する（ステップＳ３０６）。
【００５６】
ＰＣ側は、受信した顔画像入り座席表をプリントアウトして、１クラス分の顔画像入り座席表が完成する（ステップＳ３０７）。
【００５７】
図７は、上述のフローで完成した１クラスの顔画像入り座席表の一例を示す模式図である。同図に示すように各座席のＩＤ番号に対応する位置に顔画像が配置されると共に、氏名等の被写体データ（×印で示す）が記入されている。
【００５８】
以上が、本発明に係る第一の実施の形態である。なお本例では、動画と静止画の双方を記録するよう構成したが、記録を動画のみとし、顔画像である静止画は動画から切り出した画像を使用するように構成してもよい。
【００５９】
以上説明したように、記録した動画又は動画に関連づけて記録された静止画から所望の画像を選択し、１枚のプリント上に選択された画像の配置されたプリントを作成する場合、選択された画像を配置する工程で、動画内に記録され、選択された画像と対応づけられた情報、又は動画記録時に収集され、選択された画像と対応づけられた情報に基づいて、画像を配置するプリント方法とすることにより、誤った画像が配置されることがなく、座席表のように頻繁に変更される場合にも新規に集合して撮影し直す必要のない、簡便な、省力化されたプリント方法を得ることができる。
【００６０】
なお、本例においては、座席表の作成を例にとり説明したが、例えば卒業アルバム等のように、１枚のプリント上に複数の画像が配置されたプリントの作成であれば、適用可能であるのは言うまでもない。
【００６１】
（第二の実施の形態）
以下、本発明に係る第二の実施の形態について説明する。第二の実施の形態は、本人の顔写真がプリントされた身分証明用のカードの作成を例にとり説明する。
【００６２】
本第二の実施の形態における、撮影装置、撮影手順、撮影され記録メディアに記録された画像データを、データベース化する手順は、図１〜図４で説明したものと同様でよいが、認証のため本人属性情報を、バイオメトリクスセンサ１７を用いて、以下のような被写体認証情報データを動画記録時に収集することが、より好ましい。
【００６３】
図８は、バイオメトリクス情報のうち、虹彩を登録する場合の動作概略を示すフローチャートである。虹彩を登録する場合には図２に示すバイオメトリクスセンサ１７は公知の虹彩登録ユニットが用いられる。なお虹彩を登録する場合は、図２に示すフローとステップＳ１０１〜ステップＳ１１４は同じであるため、ステップＳ１１４以降の異なる部分についてのみ示してある。以下、同図に従い説明する。
【００６４】
ステップＳ１１４で、静止画像を記録ユニット２０へ記録すると共に、撮影終了のインデックス情報を作成した後、音声出力ユニット１６より、例えば「虹彩センサをのぞき込んでください」と音声を発し（ステップＳ１２１）、所定の時間後、虹彩センサが虹彩画像を明瞭に採取したかどうか判断する（ステップＳ１２２）。虹彩画像が明瞭に採取されていない場合（ステップＳ１２２；Ｎｏ）は、ステップＳ１２１、ステップＳ１２２の動作を繰り返す。
【００６５】
虹彩画像が明瞭に採取された場合（ステップＳ１２２；Ｙｅｓ）は、得られた虹彩画像データを記録すると共に、虹彩画像採取終了のインデックス情報を作成する（ステップＳ１２３）。
【００６６】
次いで、図２と同様に、音声出力ユニット１６より、例えば「立ち上がって、次の人をお呼び下さい」と音声を発し（ステップＳ１１５）、コントローラ１１は、動画入力ユニット１４より入力される動画から、被撮影者２５が退席したかどうか判断する（ステップＳ１１６）。退席していない場合（ステップＳ１１６；Ｎｏ）は、ステップＳ１１５へ戻り、再度「立ち上がって、次の人をお呼び下さい」と音声を発する。
【００６７】
動画入力ユニット１４より入力される動画から、被撮影者２５が退席したと判断された場合（ステップＳ１１６；Ｙｅｓ）は、記録ユニット２０への記録を終了し、次の撮影に備えて待機状態となる。以上が、虹彩を登録する場合の動作概略である。
【００６８】
図９は、バイオメトリクス情報のうち、指紋を登録する場合の動作概略を示すフローチャートである。指紋を登録する場合には図２に示すバイオメトリクスセンサ１７は公知の指紋登録ユニットが用いられる。なお指紋を登録する場合も、図２に示すフローとステップＳ１０１〜ステップＳ１１４は同じであるため、ステップＳ１１４以降の異なる部分についてのみ示してある。以下、同図に従い説明する。
【００６９】
ステップＳ１１４で、静止画像を記録ユニット２０へ記録すると共に、撮影終了のインデックス情報を作成した後、音声出力ユニット１６より、例えば「右手人差し指を指紋センサに押しつけてください」と音声を発し（ステップＳ１３１）、所定の時間後、指紋センサが指紋画像を明瞭に採取したかどうか判断する（ステップＳ１３２）。指紋画像が明瞭に採取されていない場合（ステップＳ１３２；Ｎｏ）は、ステップＳ１３１、ステップＳ１３２の動作を繰り返す。
【００７０】
指紋画像が明瞭に採取された場合（ステップＳ１３２；Ｙｅｓ）は、音声出力ユニット１６より、例えば「左手人差し指を指紋センサに押しつけてください」と音声を発し（ステップＳ１３３）、所定の時間後、指紋センサが指紋画像を明瞭に採取したかどうか判断する（ステップＳ１３４）。指紋画像が明瞭に採取されていない場合（ステップＳ１３４；Ｎｏ）は、ステップＳ１３３、ステップＳ１３４の動作を繰り返す。
【００７１】
指紋画像が明瞭に採取された場合（ステップＳ１３４；Ｙｅｓ）は、得られた２つの指紋画像データを記録すると共に、画像採取終了のインデックス情報を作成する（ステップＳ１３５）。
【００７２】
次いで、図２と同様に、音声出力ユニット１６より、例えば「立ち上がって、次の人をお呼び下さい」と音声を発し（ステップＳ１１５）、コントローラ１１は、動画入力ユニット１４より入力される動画から、被撮影者２５が退席したかどうか判断する（ステップＳ１１６）。退席していない場合（ステップＳ１１６；Ｎｏ）は、ステップＳ１１５へ戻り、再度「立ち上がって、次の人をお呼び下さい」と音声を発する。
【００７３】
動画入力ユニット１４より入力される動画から、被撮影者２５が退席したと判断された場合（ステップＳ１１６；Ｙｅｓ）は、記録ユニット２０への記録を終了し、次の撮影に備えて待機状態となる。以上が、指紋を登録する場合の動作概略である。なお、指紋画像の採取は、一方の指のみでもよい。
【００７４】
なお、バイオメトリクス情報は、顔の特徴、掌形、声紋、網膜、静脈、署名等であってもよい。
【００７５】
これにより、データベースでは同様に、一人ずつの、撮影ＩＤ番号データ、撮影条件や撮影日時等の撮影基本情報データ、氏名等の被写体基本情報データ、被写体顔画像データ、バイオメトリクス情報を含む被写体の属性認証情報データが保存されることになる。
【００７６】
図１０は、身分証の一例であるＩＣカード型学生証発行の手順を示すフローチャートの一例である。この動作は、ネットワークを介し、ＰＣと上述のデータベース間及び身分証プリント装置間でおこなわれる。以下、同図のフローに従い説明する。
【００７７】
まず、ＰＣ側より本人のＩＤ番号を入力し（ステップＳ４０１）データベース側へ送信する。データベース側ではこれを受け、ＩＤ番号データのインデックス情報により、本人の顔画像を確定する（ステップＳ４０２）。更に、インデックス情報により本人の属性情報を確定する（ステップＳ４０３）。次いで、身分証プリント装置を用い、ＩＣカード表面に確定した顔画像を印刷（ステップＳ４０４）し、カードに埋設されたＩＣのメモリ部に確定した属性情報や認証情報を暗号化して書き込み（ステップＳ４０５）、終了する。この動作を繰り返すことで、連続的に簡便に多数のＩＣカード型学生証を発行することができる。
【００７８】
図１１は、ＩＣカード型学生証の例である。同図に示すように、本人の顔写真と、氏名、生年月日等の基本情報データが印刷され、ＩＣのメモリー部Ｍには、暗号化された属性情報や認証情報が記録されている。
【００７９】
次に、身分証を再発行する場合について説明する。
【００８０】
図１２は、身分証の再発行をおこなうシステムの概略を示した図である。同図に示すように、ネットワーク上に図１で説明した撮影装置１０が接続され、この撮影装置１０にはキーボード２１、身分証プリント装置２２が接続されている。また、ネットワークにはデータベース３０、身分証プリント装置２２、ＰＣ４０が接続されている。ＰＣ４０には、バイオメトリクスセンサ１７が接続されている。
【００８１】
図１３は、図１２に示す撮影装置１０とデータベース３０を用いた身分証再発行の動作概略を示すフローチャートである。同図は、バイオメトリクスセンサ１７として、虹彩センサを使用する場合のものである。
【００８２】
同図に示すように、まず撮影装置１０の音声出力ユニット１６より、例えば「着席してカメラにむいてください」との音声を発する（ステップＳ５０１）。被撮影者２５は椅子に着席し、例えば図示しない椅子に備えられたスイッチがＯＮされたことをコントローラ１１が検出すると、動画入力ユニット１４からの動画入力が開始される。
【００８３】
コントローラ１１は、動画入力ユニット１４より入力される動画から、被撮影者２５がカメラに向かっているか、即ち正面を向いているかどうか判断する（ステップＳ５０２）。正面を向いていない場合（ステップＳ５０２；Ｎｏ）は、ステップＳ５０１へ戻り、音声出力ユニットより再度「着席してカメラにむいてください」との音声を発する。
【００８４】
正面を向いていると判断された場合（ステップＳ５０２；Ｙｅｓ）は、顔画像を撮影し、特徴点を抽出する（ステップＳ５０３）。次いで、音声出力ユニット１６より、例えば「ＩＤ番号を入力してください」との音声を発する（ステップＳ５０４）。ＩＤが入力されると、「虹彩センサをのぞき込んでください」との音声を発する（ステップＳ５０５）。
【００８５】
以上で得られた、顔画像の特徴点と、ＩＤ番号と、虹彩センサで得られた虹彩画像データと、をデータベース３０へ送信し、データベース３０は既に格納されているＩＤ番号の顔画像及び虹彩画像データを検索し、送信された顔画像の特徴点及び虹彩画像データと一致するか判断する（ステップＳ５０６）。一致しない場合（ステップＳ５０６；Ｎｏ）は、ステップＳ５０４及びステップＳ５０５を繰り返す。なお、このステップＳ５０６が、選択した画像が本人のものであることを認証する工程である。
【００８６】
一致する場合（ステップＳ５０６；Ｙｅｓ）は、本人であると認証し、身分証再発行をおこなう（ステップＳ５０７）。なお、この時、使用する顔画像は、データベースに格納されている顔画像が使用される。
【００８７】
図１４は、図１２に示すＰＣ４０とデータベース３０を用いた身分証再発行の動作概略を示すフローチャートである。同図も、バイオメトリクスセンサ１７として、虹彩センサを使用する場合のものである。
【００８８】
同図に示すように、まずＰＣ４０側からＩＤを入力し（ステップＳ６０１）、次いで虹彩センサにより得られた虹彩画像データを、データベース３０へ送信する。データベース３０は、入力されたＩＤ番号から、既に格納されている同ＩＤ番号の顔画像及び属性情報データを検索し確定する（ステップＳ６０３）。
【００８９】
この後、データベース３０は確定した虹彩画像データと、送信された虹彩画像データとが一致するか判断する（ステップＳ６０４）。一致しない場合（ステップＳ６０４；Ｎｏ）は、ステップＳ６０１及びステップＳ６０３を繰り返す。なお、このステップＳ６０４が、選択した画像が本人のものであることを認証する工程である。
【００９０】
一致する場合（ステップＳ６０４；Ｙｅｓ）は、本人であると認証し、身分証再発行をおこなう（ステップＳ６０５）。なお、この時、使用する顔画像は、データベースに格納されている顔画像が使用される。
【００９１】
以上、説明したように、動画内に記録され、選択された画像と対応づけられた情報、又は動画記録時に収集され、選択された画像と対応づけられた情報に基づいて、選択された画像が本人のものであることを認証する工程、を有するプリント方法とすることにより、身分証発行時に顔画像の誤使用のない、省力化されたプリント方法を得ること可能になる。
【００９２】
なお、バイオメトリクスセンサ情報として、虹彩センサを使用した場合で説明したが、顔の特徴、掌形、声紋、網膜、署名等であってもよいのは勿論である。
【図面の簡単な説明】
【００９３】
【図１】本発明に係るプリント作成のための、撮影装置の概略構成の一例を示すブロック図である。
【図２】図１に示す撮影装置を用いた撮影手順概略の一例を示すフローチャートである。
【図３】記録ユニット２０に格納されたインデックス情報を示す模式図である。
【図４】記録ユニット内の記録メディアに記録された画像データを、データベース化する際のフローチャートの一例である。
【図５】座席表プリント発行の手順を示すフローチャートの一例である。
【図６】取得された座席表シートの例を示す図である。
【図７】上述のフローで完成した１クラスの顔画像入り座席表の一例を示す模式図である。
【図８】バイオメトリクス情報のうち、虹彩を登録する場合の動作概略を示すフローチャートである。
【図９】バイオメトリクス情報のうち、指紋を登録する場合の動作概略を示すフローチャートである。
【図１０】身分証の一例であるＩＣカード型学生証発行の手順を示すフローチャートの一例である。
【図１１】ＩＣカード型学生証の例である。
【図１２】身分証の再発行をおこなうシステムの概略を示した図である。
【図１３】図１２に示す撮影装置とデータベースを用いた身分証再発行の動作概略を示すフローチャートである。
【図１４】図１２に示すＰＣとデータベースを用いた身分証再発行の動作概略を示すフローチャートである。
【符号の説明】
【００９４】
１０  撮影装置
１１  コントローラ
１２  静止画像入力ユニット
１３  フラッシュユニット
１４  動画入力ユニット
１５  音声入力ユニット
１６  音声出力ユニット
１７  バイオメトリクスセンサ
１８  タグセンサ
１９  ディスプレイ
２０  記録ユニット
２１  キーボード
２２  身分証プリント装置
２５  被撮影者
３０  データベース
４０  ＰＣ（パーソナルコンピュータ）
【図１】
2005354152.tif 000003
【図２】
2005354152.tif 000004
【図３】
2005354152.tif 000005
【図４】
2005354152.tif 000006
【図５】
2005354152.tif 000007
【図６】
2005354152.tif 000008
【図７】
2005354152.tif 000009
【図８】
2005354152.tif 000010
【図９】
2005354152.tif 000011
【図１０】
2005354152.tif 000012
【図１１】
2005354152.tif 000013
【図１２】
2005354152.tif 000014
【図１３】
2005354152.tif 000015
【図１４】
2005354152.tif 000016